(57)【要約】【課題】  例えば凹凸面への広告データや、様々な平面ではない印刷物を立体に貼り付けたときに、より違和感のない仕上がりが可能となる印刷システムを提供する。【解決手段】  印刷画像調整部１３が、折り目情報受入部１２からの折り目の情報に基づいて、基礎立体の用紙の厚さ分と曲げる角度に基づいて展開図の折り目の山折り（または谷折り）の部分の画像の伸縮量を算出し、画像の折り目の部分の画像を伸縮して調整する画像処理装置である。【選択図】図１
2008067047.tif 000002
【特許請求の範囲】
【請求項１】
折り目を含む面に貼り付けられる印刷画像の元となる画像データについて、当該折り目に関する折り目情報の入力を受け入れる折り目情報受入部と、
前記折り目情報に基づいて、前記画像データの前記折り目の部分の画像を調整する画像調整部と、
前記画像調整部によって調整された前記画像データを出力する出力部と、
を備えたことを特徴とする画像処理装置。
【請求項２】
コンピュータに、
折り目を含む面に貼り付けられる印刷画像の元となる画像データについて、当該折り目に関する折り目情報の入力を受け入れる手順と、
前記折り目情報に基づいて、前記画像データの前記折り目の部分の画像を調整する手順と、
前記画像調整部によって調整された前記画像データを出力する手順と、
を実行させることを特徴とするプログラム。
【発明の詳細な説明】
【技術分野】
【０００１】
本発明は、画像処理装置及びプログラムに関する。
【背景技術】
【０００２】
商品パッケージなど、箱状の対象物に対する印刷画像をデザインするにあたり、その商品パッケージの見栄えを予めプレゼンテーションなどで見せたいという要望がある。この場合、商品パッケージと同等の厚みの紙に、デザインを直接的に印刷出来ればよい。しかしながら、一般的なプリンタ装置では、商品パッケージと同等の厚さの紙に直接印刷できるとは限らない。
【０００３】
そこで現状では、実際の商品パッケージに近い厚さの紙（ベースシート）に、ベースとなる立体（以下、基礎立体という）の展開図を書き、この展開図を裁断する。そしてこの展開図に、デザインが印刷された展開図（展開図デザインと呼ぶ）を貼り付け（例えば、特許文献１）、展開図から立体を組み立てている。
【特許文献１】特開２０００−１０８５２８号公報
【発明の開示】
【発明が解決しようとする課題】
【０００４】
このとき、ベースシートで作られた立体（基礎立体）を、展開図デザインで覆う構造となるので、展開図デザインは、基礎立体の折り目に相当する部分で、基礎立体の展開図とのサイズに差を設けておく必要がある。この差を設けない場合、展開図デザインを山折りして、基礎立体に巻き付ける部分では基礎立体の角をまわるだけの長さが不足し、谷折りする部分では逆に、展開図デザインが余ってしまう。
【０００５】
このような不具合を解消するため、展開図デザインを面ごとに裁断し、基礎立体の面にスプレー糊や両面テープ等を用いて貼り付ける方法がある。しかし、この方法を用いると多くの時間と手間がかかる上、角の部分で、下地である基礎立体が露出してしまうことも多く、全体の完成度が低くくなる。またデザインが印刷された用紙が基礎立体の角からはがれ易く、プレゼンテーション用に適さない。
【０００６】
また、データ上での既存の解決策としては、デザイン立体の面毎に、紙の厚さや角度を考慮し、大きめに面を作るという方法もあるが、仮にそのデータでデザインをパッケージ業者に渡してしまった場合、ずれ量が計算された大きめのサイズで実際のパッケージが作られてしまうという虞れもある。従ってデータ上は、ずれ量を考慮した調整を行ないたくないという要望がある。
【０００７】
本発明はこのような問題に鑑みてなされたもので、例えば凹凸面への広告データや、様々な平面ではない印刷物を立体に貼り付けたときに、より違和感のない仕上がりが可能となる印刷画像装置を提供することをその目的の一つとする。
【課題を解決するための手段】
【０００８】
本発明の一態様に係る画像処理装置は、折り目を含む面に貼り付けられる印刷画像の元となる画像データについて、当該折り目に関する折り目情報の入力を受け入れる折り目情報受入部と、前記折り目情報に基づいて、前記画像データの前記折り目の部分の画像を調整する画像調整部と、前記画像調整部によって調整された前記画像データを出力する出力部と、を備えたことを特徴としている。
【０００９】
また本発明の別の態様は、プログラムであって、コンピュータに、折り目を含む面に貼り付けられる印刷画像の元となる画像データについて、当該折り目に関する折り目情報の入力を受け入れる手順と、前記折り目情報に基づいて、前記画像データの前記折り目の部分の画像を調整する手順と、前記画像調整部によって調整された前記画像データを出力する手順と、を実行させることを特徴としている。
【発明を実施するための最良の形態】
【００１０】
本発明の実施の形態に係る画像処理装置について、図面を参照しながら説明する。
【００１１】
本発明の実施の形態に係る画像処理装置は、例えばパーソナルコンピュータ２を用いて実現できる。この画像処理装置としてのパーソナルコンピュータ２は、印刷装置３に接続されている。また、このパーソナルコンピュータ２は、図１に示すように、ＣＰＵ１０、記憶部２０、操作部３０、表示部４０およびインタフェース５０を含んで構成されている。
【００１２】
ＣＰＵ１０は、記憶部２０に格納されているプログラムに従って動作するプログラム制御デバイスである。本実施の形態では、このＣＰＵ１０は、利用者の指示操作に従い、画像データを生成する。また、ＣＰＵ１０は、利用者が操作部３０にて行った印刷操作に従い、記憶部２０に記憶されたパッケージ印刷作成プログラムを読み出し、当該パッケージ印刷作成プログラムに従って動作する。このパッケージ印刷作成プログラムに従った動作の詳しい内容については後に述べる。
【００１３】
記憶部２０は、ＲＡＭ（Random Access Memory）や、ＲＯＭ（Read Only Memory）を含んで構成される。またこの記憶部２０は、ハードディスクなどを含んでもよい。この記憶部２０にはＣＰＵ１０によって実行されるプログラムが格納されている。また、この記憶部２０はＣＰＵ１０のワークメモリとしても動作する。
【００１４】
操作部３０は、マウスやキーボードなどであり、利用者から受け入れた指示操作の内容をＣＰＵ１０に出力する。表示部４０は、ディスプレイなどであり、ＣＰＵ１０から入力される指示に従って情報の表示を行う。インタフェース５０は、例えばＵＳＢ（Universal Serial Bus）等のインタフェースであり、印刷装置３に接続され、ＣＰＵ１０から入力される指示や画像データを印刷装置３へ出力する。
【００１５】
本実施の形態の画像処理装置として動作するパーソナルコンピュータ２は、ＣＰＵ１０が実行するパッケージ印刷作成プログラムにより、機能的には、図２に示すように、展開図デザイン入力部１１と、折り目情報受入部１２と、印刷画像調整部１３と、出力部１４とを備える。
【００１６】
本実施の形態では、利用者から展開図デザインの指定とともに、当該指定された展開図デザインの印刷指示を受けてこのパッケージ印刷作成プログラムの実行が開始される。
【００１７】
展開図デザイン入力部１１は、基礎立体に貼り付けるものとして指定された展開図デザインを受け入れる。展開図デザイン入力部１１は、具体的には、ＣＰＵ１０が実行する描画ソフトウエアで作成され、記憶部２０に格納された展開図デザインの画像データを受け入れてもよいし、図示しないスキャナなどで読み取った画像データを展開図デザインとしてもよい。なお、ここでの展開図デザインは、基礎立体の展開図と同じサイズのものとする。
【００１８】
折り目情報受入部１２は、展開図デザイン入力部１１において入力された展開図を表示し、利用者の指示操作によって、当該展開図上において、折り目となる位置と、折り目の方向（山折り／谷折りの別）との入力を受け入れる。具体的な例として、展開図の表示は、図３に示すインタフェースにおいて行われる。
【００１９】
ここでは、展開図としての表示とともに、折り目を指定するインタフェース（Ａ）と、折り方の向きを変更するインタフェース（Ｂ）と、基礎立体の立体形状を指定するインタフェース（Ｃ）と、仕上がり寸法として、指定された基礎立体の立体形状を規定するサイズ情報（６面体の場合は図３に示すように長さ、幅、高さ）とともに、基礎立体を構成するベースシートの紙の厚みを設定するインタフェース（Ｄ）と、下地色（グラウンドカラー）の指定インタフェース（Ｅ）とを含み、これらのインタフェースを介して入力される情報を折り目情報として受け入れる。
【００２０】
展開図においては、山折りされる線と、谷折りされる線とが識別可能な態様で（例えば色を違えたり、線種（実線、破線など）を違えたりした態様で）表示される。
【００２１】
利用者が、これら折り目を表す線分を特定する操作（線分をクリックするなど）を行い、次いで、折り方の変更を指示するインタフェース（Ｂ）をクリックすると、折り目が山折りと谷折りとの間で交互に変更される。
【００２２】
また本実施の形態では、ここで表示される内容をプレビューとして表示させることもできるようにしている。すなわち、立体的に貼り付けた状態をシミュレートするため、展開図デザインの画像データを、指定された基礎立体の立体形状を表す３次元モデルデータにテクスチャとして貼り付けた状態を表示する（図４）。こうした立体画像の表示は、広く知られているので詳細な説明を省略する。
【００２３】
利用者が折り目情報の入力を完了すると、折り目情報受入部１２は受け入れた折り目情報を印刷画像調整部１３に出力する。
【００２４】
印刷画像調整部１３は折り目情報受入部１２からの折り目の情報に基づいて展開図デザインの折り目の部分の画像を調整する。この調整は例えば、次のように行われる。すなわち基礎立体の山折りの折り目において、当該部分の外周長さは、基礎立体を構成するベースシートの厚みが大きくなるほど大きくなる。
【００２５】
本実施の形態の印刷画像調整部１３は、図３または図４に例示したインタフェースにおいて入力された、ベースシートの紙の厚みに、例えば所定伸張係数（１より大）を乗じた値を求め、この値を伸張量として、山折りすると指定された部分について、伸張処理を行う。すなわち、図５に示すように、展開図デザインの画像データにおいて、山折りすると指定された位置で展開図デザインの画像データを分割し（Ｓ１）、ついで分割により得られた画像データの山折り線に沿った辺を、画像データの外側へ延長する（Ｓ２）。この延長量はそれぞれ伸張量の１／２に対応する画素数（Ｔ）ずつとする。また延長時には、例えば辺に隣接する画素を延長量だけ繰り返して並べてもよいし、指定された下地色の画素を延長量だけ配列してもよい。また、折り目を分かり易くするために、折り目の中央部分０．５ｍｍ程度の部分を、指定された下地色よりその濃淡を異ならせた色など、異なる色とし、線として折り目の判別に使えるようにすることとしてもよい。
【００２６】
そして印刷画像調整部１３は、それぞれの延長された辺に沿って分割した画像データ同士を接合する（Ｓ３）。なお、図５において破線は、調整前（ここでは伸張前）のサイズを表す。
【００２７】
また、谷折りすると指定された部分については、縮小処理を行う。この場合も同様にベースシートの紙の厚みに、所定縮小係数（１より小で０より大）を乗じた値を求め、この値を縮小量として、谷折りすると指定された部分について縮小処理を行う。この場合も、展開図デザインの画像データにおいて、谷折りすると指定された位置で展開図デザインの画像データを分割し、ついで分割により得られた画像データの谷折り線に沿った辺を、画像データの内側へ縮小する。この縮小量はそれぞれ縮小量の１／２に対応する画素数ずつとする。
【００２８】
また、折り目の指定において山折り谷折りの方向だけでなく、その折り目の角度まで入力される場合は、ここでの伸張係数や縮小係数を入力された角度に応じて変更すればよい。
【００２９】
そして印刷画像調整部１３は、それぞれの縮小された辺に沿って分割した画像データ同士を接合する。
【００３０】
出力部１４は、印刷画像調整部１３によって調整された展開図デザインの画像データを印刷装置３に出力する。
【００３１】
このように構成された画像処理装置によれば、印刷画像調整部１３により折り目情報受入部１２からの折り目の情報に基づいて印刷画像の折り目の部分の画像を伸縮して調整することができるから、印刷する用紙の厚さ分と曲げる角度に基づいて展開図デザインの画像データの折り目の山折り（または谷折り）の部分の画像の伸縮量を算出し、印刷するデザインに影響がでないように、それぞれ接する面に対して画像を延ばすことができる。従って、例えば凹凸面への広告データや、様々な平面ではない印刷物を立体に貼り付けたときに、より違和感のない仕上がりが可能となる。
【００３２】
なお、ここまでの説明では、パーソナルコンピュータ２が画像処理装置として動作する例について述べたが、本実施の形態はこれに限られるものではない。すなわち、この画像処理装置は、パーソナルコンピュータから印刷の対象となる画像データを受け入れて保持し、パーソナルコンピュータからの指示により、当該保持する画像データから印刷装置へ出力するデータを生成して、プリンタサーバによって実現されてもよい。ここでプリンタサーバもまた、ＣＰＵや記憶部を備え、上述の処理を行うこととすればよい。
【００３３】
なお、この場合は、パーソナルコンピュータから通信手段としてのネットワークなどを介して展開図デザインの画像データを受け入れ、またパーソナルコンピュータに対して、図３や図４に示したユーザインタフェース画面を例えばウェブページとして提供し、当該ユーザインタフェース画面を介して受け入れた設定に従って、上述の処理を実行すればよい。
【００３４】
また本実施の形態では、立方体のパッケージに印刷を施す場合を例に挙げて説明したが、これに限らず、例えば紙コップや扇子への印刷や凹凸がある面に貼られる展開図デザインの画像データについても同様に処理できる。
【００３５】
このように本実施の形態によると、元の画像データである展開図のデザインのサイズを変更することなく、印刷時に折り目の状況に応じて、折り目部分を伸張・縮小した画像を一時的に生成し、当該一時的に生成した画像を印刷する。従って、データ上は、ずれ量を考慮した調整を行ないたくないという要望に応えつつ、模式的な立体に貼り付けるに適した（折り曲げを考慮した）画像を形成用に提供できる。
【図面の簡単な説明】
【００３６】
【図１】本発明の実施の形態に係る画像処理装置及びその接続例を示すブロック図である。
【図２】本発明の実施の形態に係る画像処理装置の例を表す機能ブロック図である。
【図３】本発明の実施の形態に係る画像処理装置が提供するユーザインタフェースの例を表す説明図である。
【図４】本発明の実施の形態に係る画像処理装置が提供するユーザインタフェースの別の例を示す説明図である。
【図５】本発明の実施の形態に係る画像処理装置の処理例を表す説明図である。
【符号の説明】
【００３７】
２  パーソナルコンピュータ、３  印刷装置、１０  ＣＰＵ、１１  展開図デザイン入力部、１２  折り目情報受入部、１３  印刷画像調整部、１４  出力部、２０  記憶部、３０  操作部、４０  表示部、５０  インタフェース部。
【図１】
2008067047.tif 000003
【図２】
2008067047.tif 000004
【図３】
2008067047.tif 000005
【図４】
2008067047.tif 000006
【図５】
2008067047.tif 000007